(57)【特許請求の範囲】
【請求項１】
少なくとも、ケース部材と該ケース部材に装着されるカバー部材とから構成される搭載物固定構造であって、
前記カバー部材は、該カバー部材の裏面に相対向するように形成された凸部と、該カバー部材の周縁の一端に形成された爪部とを備え、
前記ケース部材は、搭載物収納部と、該ケース部材の表面に相対向するよう形成された周壁と、前記爪部が係合する位置に形成された爪係止部とを備え、
前記周壁の表面には、相対向するように、前記相対向する凸部のそれぞれと嵌合する凹部が形成されており、
前記カバー部材は、前記凸部を前記凹部に嵌合し、該凹部に沿ってスライドさせ、前記爪部を前記爪係止部に係止させることによって前記ケース部材に装着され、
前記凸部の先端には、前記凹部の相対向する外側の内面に向かって突出した突起部が形成されており、
前記カバー部材を前記ケース部材に装着した際、前記凸部の少なくとも一部が、前記凹部の相対向する外側の内面に接触し、軽圧入となって嵌合することを特徴とする搭載物固定構造。
【請求項２】
前記カバー部材は、前記搭載物収納部に対向する天面および該天面の両側に相対向する側面を有する構造であり、
前記凸部は、それぞれ、前記カバー部材の側面の内側に相対向するように形成されていることを特徴とする請求項１に記載の搭載物固定構造。
【請求項３】
前記凸部は、該凸部の先端に向かって前記凸部の幅が漸減するテーパ構造であることを特徴とする請求項１または２に記載の搭載物固定構造。
【請求項４】
前記カバー部材は、弾性を有する材料によって形成されていることを特徴とする請求項１ないし３のいずれか１項に記載の搭載物固定構造。
【請求項５】
前記搭載物固定構造における搭載物は、電池であることを特徴とする請求項１ないし４のいずれか１項に記載の搭載物固定構造。
【発明の詳細な説明】
【技術分野】
【０００１】
本発明は、例えば電子機器に搭載される電池を固定する搭載物固定構造に関する。
【背景技術】
【０００２】
電池を搭載する電子機器は、基本的に、搭載した電池の上面から被せられるカバーにより固定される。例えば携帯電話機は、フロントケースに設けられた搭載部に電池が搭載され、その上面から電池カバーが被せられる。電池カバーは、主としてリアケース、フロントケースおよび／または電池カバーに設けられた嵌合、係合手段によって、フロントケースおよびリアケースに固定される。
【０００３】
しかし、これらの部品間は嵌合させる際、必ずガタツキやキシミ等の原因となる隙間が空いてしまう。特にフロントケースおよび電池カバーについては、ユーザーが携帯電話機を使用する際には必ず接触する部分であり、ガタツキやキシミに繋がり易い。そこで、近年、電池を固定する為に適した様々な固定構造が考案されている。
【０００４】
例えば、特許文献１には、ケース側面に形成される嵌合凹部の構造を突起部およびリブにすることにより、内部スペースの利用が可能になり設置スペースを効率よく改善することができるとともに、電子機器のケース全体を小型化することができるバッテリー収納部構造が記載されている。当該バッテリー収納部構造では、カバーの突起部がリブに沿って案内されてケースにスライド嵌合するように設けているため、この突起部がカバーの左右方向のガタ付きを効果的に防止できるように構成されている。
【０００５】
また、特許文献２では、ケースに対するカバーのガタツキを防止し、ケースの表面とカバーの表面との段差を解消することができるバッテリカバーのガタツキ防止構造が提案されている。当該ガタツキ防止構造では、バッテリ収納部を形成するケースの相対向する周壁の上面に先端部近傍にテーパ溝部を有する嵌合溝を形成し、カバーの相対向する周壁の下面には嵌合溝に適合するリブを設け、このリブを嵌合溝に沿ってスライドさせ、かつ先端のテーパ溝部に圧入させて嵌合するようにしている。
【先行技術文献】
【特許文献】
【０００６】
【特許文献１】特開２０００−２６０４０６号公報
【特許文献２】特開２００１−１１８５５５号公報
【発明の概要】
【発明が解決しようとする課題】
【０００７】
しかし、前述した特許文献１に記載のバッテリー収納部構造では、内部スペースの利用が可能になり設置スペースを効率よく改善する分、当該電池収納部構造が複雑となってしまい、製造コストも高くつくことが予想される。
【０００８】
さらに、特許文献１に記載のバッテリー収納部構造、および、特許文献２に記載のバッテリカバーのガタツキ防止構造のいずれも、充分に電池カバーのガタツキおよびキシミを防止できるとは言い難い。というのは、いずれの構造においても、バッテリ収納部の周壁上面の溝の幅が、カバーの周壁下面のリブの幅よりも大きいという条件のみで嵌合するように形成されているからである。
【０００９】
併せて、固定手段として一般的である、リアカバーと電池カバーとの爪係合についても、通常の携帯電話機使用時に電池カバーが容易に外れてしまわないよう、最低限の保持力と着脱容易性とのバランスが必要である。
【００１０】
本発明は上記事情に鑑みてなされたものであり、構造が複雑となりすぎず、充分にカバーのガタツキおよびキシミの発生を抑制させ、かつ、カバーにおける爪の係合力を高めることが可能な搭載物固定構造の提供を目的とする。
【課題を解決するための手段】
【００１１】
本発明の搭載物固定構造は、
少なくとも、ケース部材と該ケース部材に装着されるカバー部材とから構成される搭載物固定構造であって、
前記カバー部材は、該カバー部材の裏面に相対向するように形成された凸部と、該カバー部材の周縁の一端に形成された爪部とを備え、
前記ケース部材は、搭載物収納部と、該ケース部材の表面に相対向するよう形成された周壁と、前記爪部が係合する位置に形成された爪係止部とを備え、
前記周壁の表面には、相対向するように、前記相対向する凸部のそれぞれと嵌合する凹部が形成されており、
前記カバー部材は、前記凸部を前記凹部に嵌合し、該凹部に沿ってスライドさせ、前記爪部を前記爪係止部に係止させることによって前記ケース部材に装着され、
前記凸部の先端には、前記凹部の相対向する外側の内面に向かって突出した突起部が形成されており、
前記カバー部材を前記ケース部材に装着した際、前記凸部の少なくとも一部が、前記凹部の相対向する外側の内面に接触し、軽圧入となって嵌合することを特徴とする。
【発明の効果】
【００１２】
本発明の搭載物固定構造によれば、構造が複雑となりすぎず、充分にカバーのガタツキおよびキシミの発生を抑制させ、かつ、カバーにおける爪の係合力を高めることが可能である。
【図面の簡単な説明】
【００１３】
【図１】本発明の実施の形態１に係る電池固定構造を利用する携帯電話機の構成例を示す概略図である。
【図２】実施の形態１に係る電池カバーの構成例を示す裏面図である。
【図３】実施の形態１に係る電池固定構造において、電池カバー装着後の構成例を示す表面図である。
【図４】図３のＡ−Ａ線で切断した実施の形態１に係る電池固定構造を示す断面図である。
【図５】図４のＸ部分における凹部と凸部との嵌合構造を示す拡大断面図である。
【図６】実施の形態１に係る電池固定構造における爪部と爪係止部との係合構造を示す、図３のＢ−Ｂ線で切断した拡大断面図である。
【図７】本発明の実施の形態２に係る凹部と凸部との嵌合構造を示す拡大断面図である。
【図８】本発明の実施の形態３に係る凹部と凸部との嵌合構造を示す拡大断面図である。
【図９】本発明の実施の形態４に係る凹部と凸部との嵌合構造を示す拡大断面図である。
【発明を実施するための形態】
【００１４】
以下、本発明の実施の形態について図面を参照しながら詳細に説明する。図中同一または相当部分には同一符号を付す。
【００１５】
（実施の形態１）
図１は、本発明の実施の形態１に係る電池固定構造を利用する携帯電話機の構成例を示す概略図である。携帯電話機１の電池固定構造は、電池カバー２と、ケース部材３と、ケース部材３に収納される電池１２とから構成されている。
【００１６】
なお、通常の携帯電話機１のケース部材３は、フロントケースおよびリアケースに分けられ、電池１２はフロントケースに収納される。リアケースの内部にはプリント基板等が実装されているが、本実施の形態１に係る電池固定構造には関係ない為省略する。その他、後述する図中に記載されている携帯電話機１における詳細な要素においても、本実施の形態１に係る電池固定構造に関係ない要素の説明を省略する。
【００１７】
本明細書において、電池カバー２の表面および裏面、ならびに、ケース部材３の表面および裏面という表現は、それぞれ図１に示す方向の面を意味する。すなわち、電池カバー２をケース部材３へ装着した際、電池カバー２の裏面およびケース部材３の表面は電池１２に近接した方の面を意味し、電池カバー２の表面およびケース部材３の裏面は電池１２から離れた方の外側の面を意味する。
【００１８】
図２は、実施の形態１に係る電池カバーの構成例を示す裏面図である。図１および図２に示すように、電池カバー２は、カバー天面４および相対向する二つのカバー側面５が一体に形成された構造となっている。また、爪部６および二つの線状の凸部７についても、カバー天面４と一体に形成されている。
【００１９】
爪部６は、電池カバー２の周縁の一端に形成されている。凸部７は、電池カバー２の裏面から突出して、二つのカバー側面５から一定の間隔をおき、それぞれが相対向するように形成されている。また、好ましくは電池カバー２全体が弾性を有する材料によって形成されている。
【００２０】
ケース部材３は、電池１２が収納される電池収納部８（図４参照）と、爪係止部９と、二つの線状の周壁１０とを備える。爪係止部９は、電池カバー２をケース部材３へ装着した際に、前述した電池カバー２の爪部６と係合する位置および形状に形成されている。二つの周壁１０は、ケース部材３の表面に相対向するよう形成されており、表面には同様に相対向するように線状の凹部１１が形成されている。
【００２１】
電池カバー２を、電池１２が収納されたケース部材３に装着する動作について説明する。図１中の矢印に示すように、まず、電池カバー２を、ケース部材３の表面側から被せる。この際、電池カバー２の凸部７を、ケース部材３の凹部１１に嵌合させるように被せる。なお、凸部７および凹部１１は、それぞれが嵌合するような位置および形状に予め設計しておく。
【００２２】
次に、電池カバー２（またはケース部材３）を、ケース部材３の凹部１１に沿って爪係止部９が形成されている方向にスライドさせ、爪部６と爪係止部９とを係合させることにより、装着する。なお、このような、凹形状を凸形状と嵌合し、その後スライドさせ、爪で係止するという固定方法は、当該分野の当業者にとっては公知の方法である（特許文献１および２参照）。従って、凹形状および凸形状、ならびに爪形状および爪係止形状の設計方法については、詳細を記載しなくとも当業者であれば容易に製造することが可能である。
【００２３】
図３は、実施の形態１に係る電池固定構造において、電池カバー装着後の構成例を示す表面図である。図４は、図３のＡ−Ａ線で切断した実施の形態１に係る電池固定構造を示す断面図である。さらに、図５は、図４のＸ部分における凹部と凸部との嵌合構造を示す拡大断面図である。
【００２４】
図５に示すように、凹部１１の幅ａは、凸部７の幅ｂよりも大きくなっている。図６は、実施の形態１に係る電池固定構造における爪部と爪係止部との係合構造を示す、図３のＢ−Ｂ線で切断した拡大断面図である。図４および図６の矢印については後に説明する。
【００２５】
本実施の形態１に係る電池固定構造では、図３ないし図５に示すように、電池カバー２をケース部材３に装着した際、凸部７は、側面において凹部１１の相対向する外側の内面（図５に示すＹ）に接触し、軽圧入となって嵌合している。これは、前述した凸部７および凹部１１の位置および形状の設計により、このような嵌合状態になるよう予め設計しておくことによる。また、図４および図５に示すように、周壁１０の形状は、電池カバー２のカバー天面４およびカバー側面５に適合するような形状、ずなわちオフセットされる形状となっている。
【００２６】
凸部７が凹部１１に軽圧入される状態で嵌合される為、図４の矢印に示すように、電池収納部８（または電池１２）に向かって常に力が働いた状態で、電池カバー２およびケース部材３が装着されることになる。そのため、カバー側面５は、電池収納部８（または電池１２）側に向かって引き込まれ、ケース部材３との隙間が少なくなる。また、図４に示すように上向きの矢印の方向にも力が働くため、電池カバー２が膨らむような状態となる。その結果、図６の矢印に示すように、爪部６と爪係止部９との係合状態も強くなる。
【００２７】
このような力が働くため、本実施の形態１の電池固定構造では、充分に電池カバー２のガタツキおよびキシミの発生を抑制させ、かつ、電池カバー２における爪部６の係合力を高めることが可能となる。また、構造が複雑になりすぎず、製造コストが高くなることはない。
【００２８】
（実施の形態２）
本実施の形態２では、前述した実施の形態１と、電池カバー２の凸部７の形状が異なる場合について述べる。その他の詳細な構成については、前述した実施の形態１と同様である。
【００２９】
図７は、本発明の実施の形態２に係る凹部と凸部との嵌合構造を示す拡大断面図である。すなわち、電池カバー２をケース部材３に装着した状態における、周壁１０周辺の拡大断面図である。
【００３０】
図７に示すとおり、本実施の形態２では、電池カバー２の凸部７の形状が、先端に向かって幅が漸減するテーパ構造となっている。しかし、実施の形態１と同様に、凸部７の少なくとも一部において凹部１１の相対向する外側の内面（図７に示すＹ）に接触し、軽圧入となって嵌合している。すなわち、実施の形態１において述べた電池固定構造に働く力と同様の力が働く。
【００３１】
このように、本実施の形態２の電池固定構造によれば、実施の形態１と同様に、充分に電池カバー２のガタツキおよびキシミの発生を抑制させ、かつ、電池カバー２における爪部６の係合力を高めることが可能となる。また、構造が複雑となりすぎず、製造コストが高くなることはない。さらに、凸部７の端部がテーパ構造となっているので、ケース部材３の凹部１１と嵌合させるための組み込みが容易となる。
【００３２】
（実施の形態３）
本実施の形態３では、前述した実施の形態１と、電池カバー２の凸部７の形状が異なる場合について述べる。その他の詳細な構成については、前述した実施の形態１と同様である。
【００３３】
図８は、本発明の実施の形態３に係る凹部と凸部との嵌合構造を示す拡大断面図である。すなわち、電池カバー２をケース部材３に装着した状態における、周壁１０周辺の拡大断面図である。    
【００３４】
図８に示すとおり、本実施の形態３では、電池カバー２の凸部７が、先端に突起部１３が形成された形状となっている。なお、突起部１３は、相対向する外側の内面（図８に示すＹ）に向かって突出している。そのため、凸部７は、突起部１３において図８に示すＹの面に接触し、軽圧入となって嵌合している。すなわち、実施の形態１において述べた電池固定構造に働く力と同様の力が働く。
【００３５】
このように、本実施の形態３の電池固定構造によれば、実施の形態１と同様に、充分に電池カバー２のガタツキおよびキシミの発生を抑制させ、かつ、電池カバー２における爪部６の係合力を高めることが可能となる。また、構造が複雑になりすぎず、製造コストが高くなることはない。さらに、凸部７が先端に突起部１３が形成された形状であるため、凸形状を撓ませ易くさせることが可能となり、仕様に応じた嵌合力の調整が可能となる。
【００３６】
（実施の形態４）
本実施の形態４では、前述した実施の形態１と、電池カバー２および周壁１０の形状が異なる場合について述べる。その他の詳細な構成については、前述した実施の形態１と同様である。
【００３７】
図９は、本発明の実施の形態４に係る凹部と凸部との嵌合構造を示す拡大断面図である。すなわち、電池カバー２をケース部材３に装着した状態における、周壁１０周辺の拡大断面図である。    
【００３８】
図９に示すとおり、本実施の形態４では、電池カバー２の主たる構造がカバー天面４のみであり、カバー側面５を備えていない。また、周壁１０の形状が、前述した実施の形態１ないし３とは異なり、電池カバー２に覆われるような形状ではなく、周壁１０の表面に電池カバー２を嵌め込むような形状となっている。
【００３９】
電池カバー２の凸部７の形状は、実施の形態２と同様であり、端部に向かって幅が漸減するテーパ構造となっている。その他の構成要素については、実施の形態１と同様であり、凸部７の少なくとも一部において凹部１１の相対向する外側の内面（図９に示すＹ）に接触し、軽圧入となって嵌合している。すなわち、カバー側面５ではなくカバー天面４の周縁部に力が働き隙間が少なくなるという点では異なるが、実施の形態１において述べた電池固定構造に働く力とほぼ同様の力が働く。
【００４０】
このように、本実施の形態４の電池固定構造によれば、充分に電池カバー２のガタツキおよびキシミの発生を抑制させ、かつ、電池カバー２における爪部６の係合力を高めることが可能となる。また、構造が複雑になりすぎず、製造コストが高くなることはない。さらに、凸部７の端部がテーパ構造となっているので、ケース部材３の凹部１１と嵌合させるための組み込みが容易となる。
【００４１】
実施の形態１ないし４において述べた、凸部７、凹部１１（および周壁１０）、爪部６ならびに爪係止部９の位置および形状は一例である。凸部７および凹部１１が軽圧入となって嵌合、スライドが可能であり、爪部６および爪係止部９についても係合可能であれば、どのような位置および形状でも構わない。
【００４２】
さらに、本発明は凸部７および凹部１１の長さについては限定されない。前述したように、凸形状の部分を凹形状の部分に嵌合させ、スライドさせる方法については公知であるため、当該分野の当業者であれば様々な設計が可能である。また、周壁１０についても、少なくとも相対向する部分が形成されていればよく、例えばケース部材２の周縁を囲むようなコの字状に形成されていても構わない。
【００４３】
また、実施の形態１ないし４においては、携帯電話機１の電池固定構造において本発明である搭載物固定構造を用いる例について説明したが、ケース部材とカバー部材とから構成され、任意の搭載物を収納するための固定構造に適用することが可能である。
【００４４】
以上、実施の形態について説明したが、本発明は上述した実施の形態に限定されることはなく、本発明の範囲内で種々の実施形態が可能である。
【００４５】
上記の実施形態の一部または全部は、以下の付記のようにも記載されうるが、以下には限られない。
【００４６】
（付記１）少なくとも、ケース部材と該ケース部材に装着されるカバー部材とから構成される搭載物固定構造であって、
前記カバー部材は、該カバー部材の裏面に相対向するように形成された凸部と、該カバー部材の周縁の一端に形成された爪部とを備え、
前記ケース部材は、搭載物収納部と、該ケース部材の表面に相対向するよう形成された周壁と、前記爪部が係合する位置に形成された爪係止部とを備え、
前記周壁の表面には、相対向するように、前記相対向する凸部のそれぞれと嵌合する凹部が形成されており、
前記カバー部材は、前記凸部を前記凹部に嵌合し、該凹部に沿ってスライドさせ、前記爪部を前記爪係止部に係止させることによって前記ケース部材に装着され、
前記カバー部材を前記ケース部材に装着した際、前記凸部の少なくとも一部が、前記凹部の相対向する外側の内面に接触し、軽圧入となって嵌合することを特徴とする搭載物固定構造。
【００４７】
（付記２）前記カバー部材は、前記搭載物収納部に対向する天面および該天面の両側に相対向する側面を有する構造であり、
前記凸部は、それぞれ、前記カバー部材の側面の内側に相対向するように形成されていることを特徴とする付記１に記載の搭載物固定構造。
【００４８】
（付記３）前記凸部は、該凸部の先端に向かって前記凸部の幅が漸減するテーパ構造であることを特徴とする付記１または２に記載の搭載物固定構造。
【００４９】
（付記４）前記カバー部材は、弾性を有する材料によって形成されていることを特徴とする付記１ないし３のいずれかに記載の搭載物固定構造。
【００５０】
（付記５）前記凸部の先端に、前記凹部の相対向する外側の内面に向かって突出した突起部が形成されていることを特徴とする付記１ないし４のいずれかに記載の搭載物固定構造。
【００５１】
（付記６）前記搭載物固定構造における搭載物は、電池であることを特徴とする付記１ないし５のいずれかに記載の搭載物固定構造。
【符号の説明】
【００５２】
１  携帯電話機
２  電池カバー
３  ケース部材
４  カバー天面
５  カバー側面
６  爪部
７  凸部
８  電池収納部
９  爪係止部
１０  周壁
１１  凹部
１２  電池
１３  突起部
【図１】
0005494109.tif 000002
【図２】
0005494109.tif 000003
【図３】
0005494109.tif 000004
【図４】
0005494109.tif 000005
【図５】
0005494109.tif 000006
【図６】
0005494109.tif 000007
【図７】
0005494109.tif 000008
【図８】
0005494109.tif 000009
【図９】
0005494109.tif 000010